(57)【要約】【課題】小型化が容易な構造を有する固体高分子型燃料電池を提供する。【解決手段】固体電解質膜と、この固体電解質膜の一方の面に配置されたアノードと、他方の面に配置されたカソードとを一組とする電解質膜電極接合体を複数有し、これら複数の電解質膜接合体は１つの固体電解質膜を共有し、この固体電解質膜は筒形状を有することを特徴とする固体高分子型燃料電池。【選択図】図２
2006210117.tif 000002
【特許請求の範囲】
【請求項１】
固体電解質膜と、この固体電解質膜の一方の面に配置されたアノードと、他方の面に配置されたカソードとを一組とする電解質膜電極接合体を複数有し、これら複数の電解質膜接合体は１つの固体電解質膜を共有し、この固体電解質膜は筒形状を有することを特徴とする固体高分子型燃料電池。
【請求項２】
前記固体電解質膜は、シート状の固体電解質膜の両端を接合して筒形状に形成されたものである請求項１記載の固体高分子型燃料電池。
【請求項３】
前記固体電解質膜は、その筒形状の両側の開口部にそれぞれ蓋部材が配置され、これらの蓋部材は固体電解質膜にかしめ固定されている請求項１又は２記載の固体高分子型燃料電池。
【請求項４】
前記固体電解質膜は、その筒形状の両側の開口部においてそれぞれ、内側に蓋部材、外側にシール部材が配置され、当該固体電解質膜を挟む両部材が金具によりかしめ固定されている請求項３記載の固体高分子型燃料電池。
【請求項５】
前記蓋部材に貫通するように燃料供給用のチューブが設けられている請求項３又は４記載の固体高分子型燃料電池。
【請求項６】
前記固体電解質膜が露出しないようにガスシール剤が塗布された請求項１〜５のいずれかに記載の固体高分子型燃料電池。
【請求項７】
発電停止時に電解質膜電極接合体への酸素を遮断するためのケースを付属させた請求項１〜６のいずれかに記載の固体高分子型燃料電池。
【発明の詳細な説明】
【技術分野】
【０００１】
本発明は、電解質膜電極接合体（ＭＥＡ：Membrane Electrode Assembly）のスタック構造を有する固体高分子型燃料電池に関する。
【背景技術】
【０００２】
固体高分子型燃料電池は、固体電解質膜をその両側から、触媒層と拡散層を積層した電極で挟み接合した電解質膜電極接合体（ＭＥＡ）を有し、このＭＥＡに燃料および酸素を供給することにより電気化学的反応が起こり電力を得ることができる。このＭＥＡは、その両側からセパレータで挟まれ圧力を加え固定される。このセパレータは、燃料や酸素の供給流路、水や二酸化炭素の排出流路の確保、集電といった役割を果たし、グラファイト、ステンレスなどの導電性材料で形成されている。燃料の供給流路や生成物の排出流路の確保と圧力の均等化とのバランスを考慮し、セパレータのＭＥＡと接する面は凹凸に加工されている。凹部が燃料の供給、生成物の排出流路であり、凸部が圧力を加える部分である。この凹凸の形状は、様々なものが検討されている。
【０００３】
固体高分子型燃料電池におけるＭＥＡのスタック構造は、上記のＭＥＡとセパレータの積層体を１ユニットとし、これを積層したものが一般的である。しかし、このような構造では、セパレータが占める体積が大きくなってしまうために、小型、軽量化が困難である。携帯電話、ノートパソコンといった携帯機器への搭載を考えた場合には、ＭＥＡ以外の燃料電池構成部品をどれだけ小型・軽量化できるかが実用化のカギとなる。よって、小型・軽量化の観点から、このような積層型のスタック構造は不利であるといえる。
【０００４】
一方、携帯機器等の搭載に向いているとされる平面型のスタック構造としては、特開２００２−５６８５５号公報（特許文献１）、特開２００３−１７３８１３号公報（特許文献２）、特開２００３−２０３６４７号公報（特許文献３）等に記載されている。図５〜７には、比較例で使用した従来の平面型スタック構造の一例を示す。平面型のスタック構造は、これまで種々の構造が検討されているが、エネルギー密度の点で改善が求められている。
【０００５】
また、運転休止中における、ＭＥＡ電極部の構成部材の酸化などによる劣化を防止することも求められている。
【特許文献１】特開２００２−５６８５５号公報
【特許文献２】特開２００３−１７３８１３号公報
【特許文献３】特開２００３−２０３６４７号公報
【発明の開示】
【発明が解決しようとする課題】
【０００６】
本発明の目的は、小型化が容易な構造を有する固体高分子型燃料電池を提供することにあり、また、小型化が容易であり且つ電極構成部材の劣化防止が可能な構造を有する固体高分子型燃料電池を提供することにある。
【課題を解決するための手段】
【０００７】
本発明は、固体電解質膜と、この固体電解質膜の一方の面に配置されたアノードと、他方の面に配置されたカソードとを一組とする電解質膜電極接合体を複数有し、これら複数の電解質膜接合体は１つの固体電解質膜を共有し、この固体電解質膜は筒形状を有することを特徴とする固体高分子型燃料電池に関する。
【０００８】
また本発明は、前記固体電解質膜が、シート状の固体電解質膜の両端を接合して筒形状に形成されたものである上記の固体高分子型燃料電池に関する。
【０００９】
また本発明は、前記固体電解質膜が、その筒形状の両側の開口部にそれぞれ蓋部材が配置され、これらの蓋部材は固体電解質膜にかしめ固定されている上記の固体高分子型燃料電池に関する。
【００１０】
また本発明は、前記固体電解質膜が、その筒形状の両側の開口部においてそれぞれ、内側に蓋部材、外側にシール部材が配置され、当該固体電解質膜を挟む両部材が金具によりかしめ固定されている上記の固体高分子型燃料電池に関する。
【００１１】
また本発明は、前記蓋部材に貫通するように燃料供給用のチューブが設けられている上記の固体高分子型燃料電池に関する。
【００１２】
また本発明は、前記固体電解質膜が露出しないようにガスシール剤が塗布された上記の固体高分子型燃料電池に関する。
【００１３】
また本発明は、発電停止時に電解質膜電極接合体への酸素を遮断するためのケースを付属させた上記の固体高分子型燃料電池に関する。
【発明の効果】
【００１４】
本発明によれば、１枚の固体電解質膜に複数の電解質膜電極接合体（ＭＥＡ）を設けた円筒形状のスタック構造を有するため、スタック形成の生産性が向上するとともに、ＭＥＡの間に切れ目が無いために液漏れの可能性を低減できる。また、弾性材等からなる蓋部材をかしめ固定して、ＭＥＡの固定とシールを行うことができるため、ＭＥＡの固定のためのフレームやネジを用いる必要がなくなり、電池作製時の作業効率を向上できるとともに、燃料電池を小型化できる。
【００１５】
また、発電停止時には密閉ケースに燃料電池を保管して酸素を遮断する構造を有するため、ＭＥＡの電極基材、触媒などの酸化劣化を防ぐことができる。
【発明を実施するための最良の形態】
【００１６】
以下、本発明の好適な実施の形態を説明する。
【００１７】
本発明による燃料電池は、固体電解質膜の両側にアノード及びカソードが対向配置された電解質膜電極接合体（ＭＥＡ）を複数し、これら複数のＭＥＡは１つの固体電解質膜を共有する。これら複数のＭＥＡは直列あるいは並列に電気的に接続されスタック構造を形成する。
【００１８】
このＭＥＡを構成する固体電解質膜は筒状形状を有し、筒状スタックを形成し、両側の開口部にはそれぞれ蓋部材が設けられる。
【００１９】
この筒状スタックの内側へは、蓋部材を貫通するように設けたチューブから、燃料、例えばメタノール水溶液が供給され、筒状固体電解質膜の内側面に配置されたアノードにおける触媒反応により電子、プロトン及び二酸化炭素が発生する。発生した二酸化炭素は、このチューブから外部へ排出することができる。このチューブは、燃料の供給効率、供給分布、排気ガスの排出効率の点から複数設けることが好ましく、さらに異なる長さであることが好ましい。発生したプロトンは固体電解質膜を通過して外側面に対向配置されたカソードへ移動し、電子は外部回路を経由してカソードへ移動する。一方、筒状スタックの外側は、酸化剤、例えば空気中の酸素と接触され、筒状固体電解質膜の外側面に配置されたカソードにて、酸素と固体電解質膜を通過してきたプロトンと外部回路からの電子との触媒反応により水が形成する。このようにして電力を得ることができる。
【００２０】
この筒状スタックは、例えば、後述の実施例にて説明するように、一枚のシート状固体電解質膜の一方の面にアノード、他方の面にカソードを設けた後に、アノード形成面が内側になるように電解質膜を折り曲げ、両端を接合して筒状とすることができる。この筒状スタックは、アノード及びカソードが設けられている平面部と、対向する二つの平面部間の一方の側にある電解質膜の折り曲げ部と、他方の側にある電解質膜の接合・折り曲げ部とを持つ筒状構造をとることができる。この構造によれば、ＭＥＡのスタック形成の生産性を高めることができるとともに、ＭＥＡ間に切れ目がなくなるため、液漏れの可能性を低減できる。本発明における筒状スタックが有する筒形状としては、上記形状に限られず、円筒状、角筒状等の種々の筒形状を有することができる。
【００２１】
この筒状スタックの両側の開口部にはそれぞれ蓋部材が設けられ、この蓋部材を、例えばかしめ金具を用いてかしめ固定することができる。これにより、従来用いられていたネジ等のＭＥＡ固定用の部材を用いる必要がなくなり、電池作製時の作業効率の向上とともに、燃料電池を小型化することができる。
【００２２】
蓋部材の固定は、例えば後述の実施例にて説明するように、筒状スタックの両側の開口部において、それぞれ、内側に蓋部材、外側にフレーム状のシール部材を配置し、固体電解質膜を挟むように配置された両部材を金具によりかしめ固定することができる。蓋部材、シール部材としては、シリコンゴム等の弾性材料からなるものを用いることができる。
【００２３】
筒状スタックの外側面において、固体電解質膜が露出しないようにガスシール剤を塗布することが好ましい。これにより、固体電解質膜からの燃料の揮発を防止することができる。
【００２４】
本発明による燃料電池は、発電停止時に電解質膜電極接合体への酸素を遮断するためにケースを付属することが好ましい。これにより、ＭＥＡの電極基材、触媒などの酸化劣化を防ぐことができる。
【００２５】
本発明における固体電解質膜は、アノードとカソードとを電気的に隔てるとともに、両者の間でプロトン（水素イオン）を移動させる役割を有する。このため、固体電解質膜は、プロトンの伝導性が高い膜であることが好ましい。また、使用する燃料や酸化剤に対して化学的に安定であって、かつ機械的強度が高いことが好ましい。このような固体電解質膜を構成する材料としては、例えば、スルホン酸基、スルホアルキル基、リン酸基、ホスホン基、ホスフィン基、カルボキシル基、スルホンイミド基等のプロトン酸基を有する高分子を用いることができる。なかでも、イオン交換基としてスルホン酸基を有する有機高分子を好適に用いることができる。
【００２６】
アノード及びカソードは、従来の固体高分子型燃料電池に採用されている電極構造を用いることができる。例えば、拡散層と触媒層の積層構造をとることができる。
【００２７】
触媒層は、例えば触媒とプロトン伝導性材料、必要によりポリテトラフルオロエチレン等の撥水剤、カーボン等の導電性付与剤を混合した溶液を拡散層上に塗布することにより形成することができる。
【００２８】
アノードおよびカソードの触媒としては、白金や、白金−ルテニウム合金等の白金を主成分とする合金（以下「白金系合金」）を好適に用いることができる。その他の白金系合金としては、レニウム、ロジウム、パラジウム、イリジウム、ルテニウム、金、銀などとの合金が挙げられる。アノードおよびカソードの触媒は、同じものを用いても異なるものを用いてもよい。この触媒は、触媒粒子がカーボンブラックといったカーボン材料に担持されたものを好適に用いることができる。
【００２９】
プロトン伝導性材料としては、耐水性を有し、触媒層中でプロトンが速やかに伝導するものであれば特に制限はなく、前述の固体電解質膜として用いられる高分子を用いることができる。
【００３０】
拡散層としては、カーボンペーパー、カーボン成形体、カーボン焼結体、焼結金属、発泡金属などの導電性の多孔性基材を用いることができる。これらの拡散電極は適宜、撥水性または親水性処理、導電付与処理を行うことができる。
【００３１】
燃料としては、メタノール等のアルコール、ジメチルエーテル等のエーテル、水素ガス、炭化水素改質ガスを挙げることができ、中でもメタノール等のアルコール、特にアルコール水溶液を好適に用いることができる。一方、酸化剤としては、空気あるいは酸素を用いることができる。
【実施例】
【００３２】
以下、図面を用い、本発明を実施例により具体的に説明する。
【００３３】
（実施例１）
本実施例におけるＭＥＡ用電極部は以下のようにして作製した。耐食性の高いステンレス製の細線（ＳＵＳ３１６線径φ＝２００μｍ）を焼結させシート状にしたものをＭＥＡ電極基材とし、その上にケッチェンブラックと撥水材であるＰＴＦＥディスパージョン（ダイキン工業（株）製）を混合したものを塗布、乾燥、焼成し拡散層を形成した。この拡散層の上に、燃料極用にはＰｔＲｕ担持カーボン触媒と、酸素極用にはＰｔ担持カーボン触媒（田中貴金属工業（株）製）とＮａｆｉｏｎ溶液（デュポン社製）をそれぞれ混合したものを塗布、乾燥し、ＭＥＡ用電極部とした。
【００３４】
従来技術は、このＭＥＡ用電極部の燃料極用と酸素極用の一対で固体電解質膜（Ｎａｆｉｏｎ１１５、デュポン社製）一枚を挟み熱プレスすることにより接合し一枚のＭＥＡを作製する。これに対して、本実施例では以下のようにしてＭＥＡを作製した。
【００３５】
図２にＭＥＡスタック部の側面図、図３に平面図を示す。以下に作製方法とともにその構造について説明する。
【００３６】
まずＭＥＡ部分は、大きさ２９０×１７０ｍｍの１枚の固体電解質膜４に、前述した方法で作製した１０×１６０ｍｍのＭＥＡ電極部１２を、図２に示すように一方の平面側に１２組のＭＥＡが形成できるように折り曲げ位置を考慮して配置し、熱プレスにより固体電解質膜４と接合し、合計２４組のＭＥＡを形成した。
【００３７】
次に、それぞれのＭＥＡ電極部１２の上端部へ、ＭＥＡ同士を接続するための配線１０を取り付けた集電電極２をレーザー溶接により接続した。この２４組のＭＥＡが形成されている固体電解質膜を折り曲げ、両端同士を熱圧着し、圧着面上をエポキシ系の接着剤で補強、シールすることにより、２４組のＭＥＡを備えた筒状ＭＥＡシートを形成した。
【００３８】
図１にＭＥＡスタック部の上部断面図を示す（図３のＡ−Ａ線断面図）。厚さ１０ｍｍ、幅１０ｍｍのシリコン系ゴム製の蓋用ゴム９を、上述した筒状ＭＥＡシートの内側にはめ込み、その外側に、厚み１０ｍｍ、幅２ｍｍのシリコンゴム角型リングをシール用ゴム３として配置した状態で仮留めし、蓋用ゴム９とシール用ゴム３の間に挟まっているＭＥＡ上部の隙間にエポキシ系の接着剤１１を上部から流し込んだ。この接着剤１１は、接着に加え、集電電極２、配線１０同士のショートを防ぐことが目的である。接着剤１１が固化した後、ＳＵＳ３１６製のかしめ金具５を、蓋用ゴム９及びシール用ゴム３に設置し、これをかしめて上蓋をしっかり固定した。
【００３９】
本実施例の燃料電池両端（図２中の左右両端、図３中の上下両端）のシール用ゴム３の折れ曲がり部分には、かしめ金具５は無く、固体電解質膜４のみが挟まっており、エポキシ系の接着剤で接着してある。
【００４０】
蓋用ゴム９には、図１及び図３に示すように、燃料の投入および二酸化炭素の排出用チューブ７が複数本取り付けてある。このチューブ７は、ＭＥＡ近傍の燃料濃度を均一にすることと、二酸化炭素の排出を考慮して、長さを変えてある。このチューブ７は、かしめ金具５に設けられた穴を通して筒状シートの中空部分に達している。
【００４１】
図４に外装ケース８の側面図を示す。外装ケースは絶縁コートした厚さ１ｍｍのＳＵＳ３１６製であり、ＭＥＡと接触する側面は、外装ケースを切り抜きフッ素樹脂製のメッシュ１３が張ってある。外装ケース８とＭＥＡスタック部の接着は、かしめ金具と外装ケースの間で行った。
【００４２】
本実施例の燃料電池の底部（図２中の下部）は、集電電極および電力取り出し用配線が設けられていない以外は前述の上部と同じ構造を有する。
【００４３】
本実施例の外形サイズは高さ２００ｍｍ、幅１６０ｍｍ、厚さ１９ｍｍであり、電力取り出し端子部を除き体積は約６０８ｃｍ3である。
【００４４】
燃料の供給は、燃料電池上部のチューブ７に同数のチューブコネクタが付いている燃料カートリッジを取り付け自然落下により供給する。ＭＥＡで発生した二酸化炭素はこのチューブを通り、燃料カートリッジ内に入り、燃料カートリッジに取り付けた気液分離膜より外部に放出される。燃料カートリッジの気液分離膜は開閉が自由に行える構造になっており、未使用時は閉じた状態にしておき燃料の蒸発を防ぐ。
【００４５】
なお、燃料電池の設置の安定化のために、外装ケースの底には転倒防止用の回転式の出し入れ可能なＳＵＳ３０４製のプレートが付けてある。
【００４６】
（実施例２）
蓋用ゴムの幅を５ｍｍとした以外は実施例１と同様にして燃料電池を作製した。本実施例の外形サイズは高さ２００ｍｍ、幅１６０ｍｍ、厚さ１４ｍｍであり電力取り出し端子部を除き体積は約４４８ｃｍ3である。
【００４７】
（実施例３）
燃料循環用のポンプを取り付けたシステムとした以外は、実施例２と同様にして燃料電池を作製した。
【００４８】
（実施例４）
固体電解質膜が露出している部分にブチルゴム系のシール剤を塗布し、放電中の固体電解質膜からの燃料揮発を抑制した以外は、実施例２と同様にして燃料電池を作製した。
【００４９】
（実施例５）
実施例１と同様の構造を作製し、この構造を密閉できる保管用ケースを装着した。
【００５０】
燃料電池の動作休止時に燃料電池保管用ケースに入れＭＥＡを密閉し、保管した場合（実施例５）と、密閉せずに保管した場合（実施例１）との断続定電力放電運転試験を行った。断続定電力放電試験は、８時間の１０［Ｗ］放電、１６時間の休止を１サイクルとし、所定サイクル後の動作中の最高到達電圧（放電電圧）を測定した。結果を表２に示す。
【００５１】
（比較例１）
従来の平面型スタック構造の一例を作製し比較例とした。
【００５２】
ＭＥＡ電極部のサイズが４０×４０ｍｍ、固体電解質膜のサイズが５０×５０ｍｍであるＭＥＡを用意し、図５に示すポリアセタール樹脂（ＰＯＭ）製のフレーム１４に、片面１２枚、両面で合計２４枚のＭＥＡを配置し、ネジ１６で固定した。
【００５３】
図６にＭＥＡを固定した状態のフレーム１４の部分断面図を示した。ＭＥＡ同士をつなぐ集電電極１５は、ＳＵＳ３１６製で、段差が設けてあり、隣接するＭＥＡを電気的に直列接続するように作製し、配置されている。集電電極１５の間にＭＥＡ１とシール用のシリコンゴムパッキンを挟み込み、その両側から押さえ板１７で挟んで１組ずつフレーム１４に固定した。
【００５４】
この様に、実施例とは異なり、ＭＥＡ毎に１枚の固体電解質膜を用い、ＭＥＡ毎に固定しているため燃料電池組み立てに時間と手間がかかる。
【００５５】
本比較例の外形サイズは、高さ２０５ｍｍ、幅１５５ｍｍ、厚さ２２ｍｍであり、電力取り出し端子部を除き体積は約６９９ｃｍ3である。ＭＥＡ及び集電電極の固定にネジを使用しているため、フレーム１４にネジ１６を止める部分が必要であり、図７に示すフレーム断面図のようにフレーム部分は梯子のような形状をしている。そのため、燃料の流れ、二酸化炭素の排出などを考慮するとフレームを厚くする必要があり、体積が大きくなってしまっている。また、ネジの頭もスタックの厚さを厚くしている原因である。
【００５６】
（比較例２）
比較例２として、比較例１の構造に燃料循環用のポンプを取り付けたシステムを作製した。
【００５７】
上記の実施例および比較例の電流−出力特性、放電特性の測定は、ＭＥＡの燃料極にメタノールの１０ｖｏｌ．％水溶液を供給し、ＭＥＡの酸素極側を大気にさらした状態で行った。
【００５８】
測定結果を比較する場合、実施例１、実施例２、実施例４、比較例１ではポンプを使用していないが、実施例３、比較例２では外部電源のポンプを使用しているため（ポンプの消費電力は約１［Ｗ］）、ポンプを使用している場合は、燃料電池の外部への、電流−出力特性、放電特性は測定結果からポンプを稼動させる出力を差し引いた値にしなければならない。放電特性測定時の燃料は５００ｃｍ3とし、放電電力はポンプ未使用の場合１０［Ｗ］、ポンプ使用の場合は１１［Ｗ］とした。
【００５９】
表１に実施例１〜４、比較例１、２の体積を示した。比較例１、２に比べて実施例１〜４はいずれも体積が小さいことがわかる。これは、上述したように、比較例ではネジを用いているのに対し、実施例では、かしめ金具を用いてＭＥＡを固定していることが大きく影響している。
【００６０】
図８に実施例１の電流−出力特性を示す。実施例２、３、４、比較例１、２もほぼ同等の値を示した。但し、実施例３、比較例２はポンプを使用しているため、燃料電池外部への出力は放電電流が２［Ａ］のときで、ポンプ未使用の水準が約１４［Ｗ］であるのに対し１３［Ｗ］となる。
【００６１】
図９に放電特性、表１に放電時間を示した。実施例１と実施例２を比較すると実施例２の放電時間が短くなっているのが分かる。これは、実施例１に比べ、実施例２ではスタック構造の厚みを薄くしたためにＭＥＡ近傍の燃料濃度が低下しやすくなり、放電時間が短くなったと考えられる。比較例１では燃料濃度のことを考えフレーム構造を厚めにしていたが構造が複雑であったため、結局は、実施例１及び２に比べて燃料濃度が低下しやすく、二酸化炭素の排出効率も悪く、放電時間が短くなっている。
【００６２】
実施例３及び比較例２ではポンプを使用することにより、燃料濃度の低下を抑制することができ、実施例２及び比較例１に比べてそれぞれ放電時間が長くなっている。しかし、ポンプ消費電力を考慮した放電電力で放電しているために燃料消費が早く、実施例３は実施例１のポンプを使用しない場合に比べて放電時間が短くなっている。
【００６３】
実施例４では、露出している固体電解質膜からの燃料蒸発を抑制することができているため、シール剤を塗布した以外は同じ構造を有する実施例１に比べて放電時間が長くなっている。
【００６４】
放電時間と体積より体積エネルギー密度を求めると、表１のようになる。ただし、この値は燃料の体積を考慮していない。結果は、シール剤を塗布した実施例４で体積エネルギー密度が最も高く、システムとしても燃料循環用ポンプを用いないため単純な構造である。
【００６５】
また、実施例１と燃料循環用ポンプを設けた実施例３を比べると、実施例３の放電時間が短いが、体積が小さいために体積エネルギー密度は実施例３のほうが高くなった。しかし、実際にポンプを搭載した場合には、ポンプの体積やポンプを駆動させる回路のことも考慮に入れなければならないためシステムはより複雑化する。
【００６６】
表２に示す断続定電力放電試験の結果は、燃料電池の保管中の状態がＭＥＡへ与える影響を示している。実施例５は実施例１に比べてサイクル数に伴う電圧の低下が抑えられている。これは、実施例５では、保管中にＭＥＡが密閉されているため、ＭＥＡの電極基材、触媒などの酸化劣化が防止されているためと考えられる。
【００６７】
【表１】
2006210117.tif 000003
【００６８】
【表２】
2006210117.tif 000004
【図面の簡単な説明】
【００６９】
【図１】本発明におけるＭＥＡスタック部の上部断面図
【図２】本発明におけるＭＥＡスタック部の側面図
【図３】本発明におけるＭＥＡスタック部の平面図
【図４】本発明における外装ケースの側面図
【図５】従来の平面型スタック構造用フレームの平面図
【図６】従来の平面型スタック構造の断面図
【図７】従来の平面型スタック構造用フレームの断面図
【図８】電流−出力特性を示す図
【図９】放電特性を示す図
【符号の説明】
【００７０】
１  電解質膜電極接合体（ＭＥＡ）
２  集電電極
３  シール用ゴム
４  固体電解質膜
５  かしめ金具
６  電力取り出し用配線
７  燃料投入、二酸化炭素排出チューブ
８  外装ケース
９  蓋用ゴム
１０  集電電極接続配線
１１  接着剤
１２  ＭＥＡ電極部
１３  メッシュ
１４  平面型スタック用フレーム
１５  平面型スタック用集電電極
１６  ＭＥＡ固定用ネジ
１７  押さえ板
【図１】
2006210117.tif 000005
【図２】
2006210117.tif 000006
【図３】
2006210117.tif 000007
【図４】
2006210117.tif 000008
【図５】
2006210117.tif 000009
【図６】
2006210117.tif 000010
【図７】
2006210117.tif 000011
【図８】
2006210117.tif 000012
【図９】
2006210117.tif 000013